(57)【要約】【課題】通風量が比較的少なくなる送風ファンの周縁近傍にヒートシンクが配置されていても、ヒートシンク全体を効率的に冷却することができる空気調和機の室外機を提供する。【解決手段】空気調和機の室外機２００は、パワーデバイス１５２に表面が接しているベース２６１と、ベース２６１の裏面から延伸した複数のフィン２６２とが一体化したヒートシンク２６０と、複数のフィン２６２の先端を覆っているエアガイド２７０とを備え、熱交換器１３１と送風ファン１３２とが設置されている熱交換器室１３０に流入した空気が通る通風路が、ベース２６１と複数のフィン２６２とエアガイド２７０とによって形成されている。【選択図】図４
2009299907.tif 000002
【特許請求の範囲】
【請求項１】
パワーデバイスに表面が接しているベースと、前記ベースの裏面から延伸した複数のフィンと、前記複数のフィンの先端を覆っているカバーとが一体化したヒートシンクを備え、
熱交換器と送風ファンとが設置されている熱交換器室に流入した空気が通る通風路が、前記ベースと前記複数のフィンと前記カバーとによって形成されている
ことを特徴とする空気調和機の室外機。
【請求項２】
パワーデバイスに表面が接しているベースと、前記ベースの裏面から延伸した複数のフィンとが一体化したヒートシンクと、
前記複数のフィンの先端を覆っているエアガイドとを備え、
熱交換器と送風ファンとが設置されている熱交換器室に流入した空気が通る通風路が、前記ベースと前記複数のフィンと前記エアガイドとによって形成されている
ことを特徴とする空気調和機の室外機。
【請求項３】
前記エアガイドが、前記複数のフィンの先端を覆っている被覆部と、前記被覆部と連接し、前記フィンに嵌合で固定されている接合部とを有する部品である
ことを特徴とする請求項２に記載の空気調和機の室外機。
【請求項４】
前記エアガイドが、前記複数のフィンの先端を覆っている被覆部と、前記被覆部と連接し、前記フィンにビス止で固定されている接合部とを有する部品である
ことを特徴とする請求項２に記載の空気調和機の室外機。
【請求項５】
前記エアガイドが、前記複数のフィンの先端を覆っている被覆部と、前記被覆部と連接し、前記ヒートシンクを抱え込み、前記パワーデバイスが実装されている制御基板に固定されている手部とを有する部品である
ことを特徴とする請求項２に記載の空気調和機の室外機。
【請求項６】
前記パワーデバイスが実装されている制御基板が設置されている電装品箱を備え、
前記エアガイドが、前記電装品箱において、前記複数のフィンの先端を覆うようにして、前記熱交換器室側に延伸された部分であり、前記複数のフィンの先端に接触または近接するようにして配置されている
ことを特徴とする請求項２に記載の空気調和機の室外機。
【請求項７】
前記熱交換器室と他の室とを仕切る仕切り板を備え、
前記エアガイドが、前記仕切り板において、前記複数のフィンの先端を覆うようにして、前記熱交換器室側に延伸された部分であり、前記複数のフィンの先端に接触または近接するようにして配置されている
ことを特徴とする請求項２に記載の空気調和機の室外機。
【請求項８】
前記エアガイドが、前記複数のフィンの先端を覆っている被覆部と、前記被覆部と連接し、前記通風路に空気を案内する整流板部とを有する部品である
ことを特徴とする請求項２に記載の空気調和機の室外機。
【請求項９】
前記カバーが、前記複数のフィンの先端を覆っている被覆部と、前記被覆部と連接し、前記通風路に空気を案内する整流板部とを有する
ことを特徴とする請求項１に記載の空気調和機の室外機。
【請求項１０】
前記整流板部が、前記通風路から遠ざかるにつれて口が大きくなるホーン状に形成されている
ことを特徴とする請求項８又は９に記載の空気調和機の室外機。
【発明の詳細な説明】
【技術分野】
【０００１】
本発明は、空気調和機において外気と熱交換を行う室外機に関し、特に、電装品箱に設置されたパワーデバイス用ヒートシンク全体を効率的に冷却することができる室外機に関する。
【背景技術】
【０００２】
従来、空気調和機の室外機の内部に電装品箱が設置されている。電装品箱に制御基板が設置されている。制御基板にパワーデバイスが実装されている。パワーデバイスにヒートシンクが取り付けられている。ヒートシンクを効果的に冷却する技術が色々と提案されている。
【０００３】
図３９に示すように、室外機１０の内部は、底板１１から上側に向かって左右両側面と平行に仕切り板１２が配置されている。仕切り板１２を挟んで、左側に熱交換器室１３が配置され、右側に圧縮機室１４が配置されている。圧縮機室１４と熱交換器室１３とに跨るようにして、仕切り板１２の上方かつ室外機１０の右側面よりに、電装品箱１５が設置されている。
【０００４】
図４０（Ａ）〜図４０（Ｃ）に示すように、熱交換器室１３は、背面と左側面とに沿って、断面Ｌ字状の熱交換器３１が設置されている。背面から前面に向かって空気が流れるように、熱交換器３１の前方に、送風ファン３２が設置されている。また、圧縮機室１４は、底板１１に圧縮機４１が固定されている。
【０００５】
なお、図４０（Ａ）については、電装品箱１５の中をわかりやすくするために、右上を一部除去した状態で示している。
電装品箱１５は、前方の空間よりも後方の空間が大きくなるように、室外機１０の前面よりに、電装品箱１５の筐体が設置されている。電気部品が実装されている面を下側にして、電装品箱１５の筐体内の上側に、制御基板５１が設置されている。制御基板５１の熱交換器室側に、発熱量が多く冷却を必要とするパワーデバイス５２が実装されている。パワーデバイス５２に、ヒートシンク１６が取り付けられている。
【０００６】
ヒートシンク１６は、パワーデバイス５２に表面が接しているベース６１と、ベース６１の裏面から垂直方向に延伸した複数のフィン６２とを一体化したものである。複数のフィン６２の先端側に開口６３が形成され、複数のフィン６２の各々が沿う方向の両側に開口６４と開口６５とが個別に形成されている。
【０００７】
また、ヒートシンク１６は、開口６３が熱交換器室１３の底面を向き、開口６４が熱交換器室１３の背面を向き、開口６５が熱交換器室１３の前面を向いている。開口６３と開口６４と開口６５とが熱交換器室１３に露出している。熱交換器３１に吸い込まれた空気が、開口６３，６４，６５を介して、ヒートシンク１６の内部に流入し、ヒートシンク１６の外部に流出する。これによって、ヒートシンク１６が冷却される。
【０００８】
ただし、ヒートシンク１６は、送風ファン３２の周縁近傍に配置されることから、効果的に冷却され難いという問題がある。これは、送風ファン３２の周縁近傍では通風量が比較的少なくなるためである。
【０００９】
これに対して、通風路７１によって、ヒートシンク１６の風量を増加させる技術が提案されている（例えば、特許文献１参照。）。ここで、通風路７１は、圧縮機室１４から熱交換器室１３に流入する空気をヒートシンク１６の開口６４に案内するものである。具体的には、開口６４の近傍に出口７２が配置され、電装品箱１５において背面を向いた側壁７３に沿って圧縮機室１４から熱交換器室１３に連通するようにして形成されている。
【００１０】
また、導風体８１によって、ヒートシンク１６の風量を増加させる技術が提案されている（例えば、特許文献２参照。）。ここで、導風体８１は、熱交換器３１に吸い込まれた空気をヒートシンク１６の開口６３に案内するものである。具体的には、ヒートシンク１６の下方に配置され、仕切り板１２の左側面から送風ファン３２に接触しない範囲で水平方向に出張るようにして形成されている。
【特許文献１】特開２０００−１６１７１７号公報
【特許文献２】特開２００７−２２５２５４号公報
【発明の開示】
【発明が解決しようとする課題】
【００１１】
しかしながら、通風路７１や導風体８１などによってヒートシンク１６の風量を増加させても、ヒートシンク全体を効率的に冷却することができないという問題がある。
これは、一定の風速でヒートシンク１６の内部に空気が流入しても、フィン間に空気が流れるに従ってフィン間における圧力が高くなり、フィン間に流れる空気が減速する。また、通風路および導風体のいずれの場合においても、ヒートシンク１６が櫛歯状のものであり、複数のフィン６２が熱交換器室内に開放されている。このため、ヒートシンク１６の内部に流入した空気のほとんどが、フィン間を流れるのではなく、フィンから離れるようにして圧力の低い熱交換器室１３に流出する。結果、ヒートシンク全体を効率的に冷却することができない。
【００１２】
そこで、本発明は、上記問題に鑑みてなされたものであり、通風量が比較的少なくなる送風ファンの周縁近傍にヒートシンクが配置されていても、ヒートシンク全体を効率的に冷却することができる空気調和機の室外機を提供することを目的とする。
【課題を解決するための手段】
【００１３】
上記目的を達成するために、本発明に係わる空気調和機の室外機は、下記（ＣＬ１）または（ＣＬ２）に示す特徴を備える。
（ＣＬ１）空気調和機の室外機は、（ａ）パワーデバイスに表面が接しているベースと、前記ベースの裏面から延伸した複数のフィンと、前記複数のフィンの先端を覆っているカバーとが一体化したヒートシンクを備え、（ｂ）熱交換器と送風ファンとが設置されている熱交換器室に流入した空気が通る通風路が、前記ベースと前記複数のフィンと前記カバーとによって形成されている。
【００１４】
これによって、通風量が比較的少なくなる送風ファンの周縁近傍にヒートシンクが配置されていても、ヒートシンク全体を効率的に冷却することができる。これは、ベースと複数のフィンとカバーとによって、一方の開口から他方の開口に向かって空気が流れる通風路が形成されている。一方の開口から流入した空気が途中で熱交換器室に流出することが抑制され、一方の開口から流入した空気のほとんどが、フィン間を流れ、他方の開口まで流通するからである。
【００１５】
（ＣＬ２）空気調和機の室外機は、（ａ）パワーデバイスに表面が接しているベースと、前記ベースの裏面から延伸した複数のフィンとが一体化したヒートシンクと、（ｂ）前記複数のフィンの先端を覆っているエアガイドとを備え、（ｃ）熱交換器と送風ファンとが設置されている熱交換器室に流入した空気が通る通風路が、前記ベースと前記複数のフィンと前記エアガイドとによって形成されている。
【００１６】
これによって、通風量が比較的少なくなる送風ファンの周縁近傍にヒートシンクが配置されていても、ヒートシンク全体を効率的に冷却することができる。これは、ベースと複数のフィンとエアガイドとによって、一方の開口から他方の開口に向かって空気が流れる通風路が形成されている。一方の開口から流入した空気が途中で熱交換器室に流出することが抑制され、一方の開口から流入した空気のほとんどが、フィン間を流れ、他方の開口まで流通するからである。
【発明の効果】
【００１７】
本発明によれば、ベースと複数のフィンとカバーまたはエアガイドとによって、一方の開口から他方の開口に向かって空気が流れる通風路が形成されている。一方の開口から流入した空気が途中で熱交換器室に流出することが抑制され、一方の開口から流入した空気のほとんどが、フィン間を流れ、他方の開口まで流通する。これによって、通風量が比較的少なくなる送風ファンの周縁近傍にヒートシンクが配置されていても、ヒートシンク全体を効率的に冷却することができる。
【発明を実施するための最良の形態】
【００１８】
（実施の形態１）
以下、本発明に係わる実施の形態１について説明する。
＜概要＞
本実施の形態における空気調和機の室外機は、下記に示す特徴を備える。
【００１９】
（ＣＬ１）空気調和機の室外機は、（ａ）パワーデバイスに表面が接しているベースと、ベースの裏面から延伸した複数のフィンと、複数のフィンの先端を覆っているカバーとが一体化したヒートシンクを備え、（ｂ）熱交換器と送風ファンとが設置されている熱交換器室に流入した空気が通る通風路が、ベースと複数のフィンとカバーとによって形成されている。
【００２０】
以上の点を踏まえて、本実施の形態について、図面を参照しながら説明する。
＜室外機＞
まず、本実施の形態における空気調和機の室外機について説明する。
【００２１】
図１に示すように、室外機１００の内部は、底板１１０から上側に向かって左右両側面と平行に仕切り板１２０が配置されている。仕切り板１２０を挟んで、左側に熱交換器室１３０が配置され、右側に圧縮機室１４０が配置されている。圧縮機室１４０と熱交換器室１３０とに跨るようにして、仕切り板１２０の上方かつ室外機１００の右側面よりに、電装品箱１５０が設置されている。
【００２２】
図２（Ａ）〜図２（Ｃ）に示すように、熱交換器室１３０は、背面と左側面とに沿って、断面Ｌ字状の熱交換器１３１が設置されている。背面から前面に向かって空気が流れるように、熱交換器１３１の前方に、送風ファン１３２が設置されている。また、圧縮機室１４０は、底板１１０に圧縮機１４１が固定されている。
【００２３】
なお、図２（Ａ）については、電装品箱１５０の中をわかりやすくするために、右上を一部除去した状態で示している。
電装品箱１５０は、前方の空間よりも後方の空間が大きくなるように、室外機１００の前面よりに、電装品箱１５０の筐体が設置されている。電気部品が実装されている面を下側にして、電装品箱１５０の筐体内の上側に、制御基板１５１が設置されている。制御基板１５１の熱交換器室側に、発熱量が多く冷却を必要とするパワーデバイス１５２が実装されている。パワーデバイス１５２に、ヒートシンク１６０が取り付けられている。
【００２４】
ヒートシンク１６０は、パワーデバイス１５２に表面が接しているベース１６１と、ベース１６１の裏面から垂直方向に延伸した複数のフィン１６２と、複数のフィン１６２の先端を覆っているカバー１６３とが一体化したものである。複数のフィン１６２の各々が沿う方向の両側に開口１６４と開口１６５とが個別に形成されている。
【００２５】
また、ヒートシンク１６０は、開口１６４が熱交換器室１３０の背面を向き、開口１６５が熱交換器室１３０の前面を向いている。開口１６４と開口１６５とが熱交換器室１３０に露出している。ベース１６１と複数のフィン１６２とカバー１６３とによって、開口１６４と開口１６５とが繋がった通風路が形成されている。熱交換器１３１に吸い込まれた空気が、開口１６４（以下、流入口１６４と呼称する。）から流入し、開口１６５（以下、流出口１６５と呼称する。）から流出する。これによって、ヒートシンク１６０が冷却される。
【００２６】
なお、電装品箱１５０は、ヒートシンク１６０の下面と、左側面と、流入口１６４と、流出口１６５とが覆われないように、電装品箱１５０の筐体が構成されている。
以上、本実施の形態によれば、ベース１６１と複数のフィン１６２とカバー１６３とによって、流入口１６４から流出口１６５に向かって空気が流れる通風路が形成されている。流入口１６４から流入した空気が途中で熱交換器室１３０に流出することが抑制され、流入口１６４から流入した空気のほとんどが、フィン間を流れ、流出口１６５まで流通する。これによって、通風量が比較的少なくなる送風ファン１３２の周縁近傍にヒートシンク１６０が配置されていても、ヒートシンク全体を効率的に冷却することができる。
【００２７】
（実施の形態２）
以下、本発明に係わる実施の形態２について説明する。
＜概要＞
本実施の形態における空気調和機の室外機は、下記に示す特徴を備える。
【００２８】
（ＣＬ２）空気調和機の室外機は、（ａ）パワーデバイスに表面が接しているベースと、ベースの裏面から延伸した複数のフィンとが一体化したヒートシンクと、（ｂ）複数のフィンの先端を覆っているエアガイドとを備え、（ｃ）熱交換器と送風ファンとが設置されている熱交換器室に流入した空気が通る通風路が、ベースと複数のフィンとエアガイドとによって形成されている。
【００２９】
（ＣＬ３）エアガイドが、複数のフィンの先端を覆っている被覆部と、被覆部と連接し、フィンに嵌合で固定されている接合部とを有する部品である。
なお、上記（ＣＬ３）の代わりに、下記（ＣＬ４）としてもよい。
【００３０】
（ＣＬ４）エアガイドが、複数のフィンの先端を覆っている被覆部と、被覆部と連接し、フィンにビス止で固定されている接合部とを有する部品である。
以上の点を踏まえて、本実施の形態について、図面を参照しながら説明する。なお、実施の形態１における構成要素と同一の構成要素については、同一の参照符号を付して説明を省略する。
【００３１】
＜室外機＞
まず、本実施の形態における空気調和機の室外機について説明する。
図３，図４（Ａ）〜図４（Ｃ）に示すように、室外機２００は、櫛歯状のヒートシンク２６０の下部に、エアガイド２７０が取り付けられている。エアガイド２７０は、複数のフィン２６２の先端を覆う部品である。
【００３２】
なお、図４（Ａ）については、電装品箱１５０の中をわかりやすくするために、右上を一部除去した状態で示している。
ここでは、一例として、ヒートシンク２６０は、パワーデバイス１５２に表面が接しているベース２６１と、ベース２６１の裏面から垂直方向に延伸した複数のフィン２６２とを一体化したものである。複数のフィン２６２の先端側に開口（不図示）が形成され、複数のフィン２６２の各々が沿う方向の両側に開口２６４と開口２６５とが個別に形成されている。
【００３３】
また、ヒートシンク２６０は、複数のフィン２６２の先端側に形成された開口（不図示）が熱交換器室１３０の底面を向き、開口２６４が熱交換器室１３０の背面を向き、開口２６５が熱交換器室１３０の前面を向いている。開口２６４と開口２６５とが熱交換器室１３０に露出し、複数のフィン２６２の先端側に形成された開口（不図示）がエアガイド２７０で覆われている。ベース２６１と複数のフィン２６２とエアガイド２７０とによって、開口２６４と開口２６５とが繋がった通風路が形成されている。熱交換器１３１に吸い込まれた空気が、開口２６４（以下、流入口２６４と呼称する。）から流入し、開口２６５（以下、流出口２６５と呼称する。）から流出する。これによって、ヒートシンク２６０が冷却される。
【００３４】
図５，図６（Ａ）〜図６（Ｄ）に示すように、エアガイド２７０は、複数のフィン２６２の先端を覆っている被覆部２７１と、被覆部２７１と連接し、ヒートシンク２６０の下部に形成された接合部２６６に対応する接合部２７２とを有する部品である。複数のフィン２６２の先端に被覆部２７１が接するようにして、ヒートシンク２６０の下部に、エアガイド２７０が取り付けられている。これによって、ヒートシンク２６０内に、流入口２６４から流出口２６５に向かって空気が流れる通風路が複数形成される。
【００３５】
ここでは、下記（１），（２）において、エアガイド２７０がヒートシンク２６０の下部に嵌合で取り付けられている場合について説明する。下記（３），（４）において、エアガイド２７０がヒートシンク２６０の下部にビスで取り付けられている場合について説明する。
【００３６】
ここで、エアガイド２７０は、左側部がヒートシンク２６０の左側部に、右側部がヒートシンク２６０の右側部に、後部が流入口２６４に、前部が流出口２６５に合わされて配置されている。
【００３７】
（１）図６（Ａ）に示すように、ヒートシンク２６０は、左右両側部の下部に、接合部２６６が形成されている。接合部２６６の外側に、水平方向に窪んだ半球状の凹部２６６ａが形成されている。
【００３８】
エアガイド２７０は、左右両側部に、上側に出張った接合部２７２が形成されている。ヒートシンク２６０の接合部２６６（凹部２６６ａ）に対応するようにして、接合部２７２の上部の内側に、水平方向に出張った半球状の凸部２７２ａが形成されている。
【００３９】
また、エアガイド２７０は、内側の幅がヒートシンク２６０の外側の幅と同じである。接合部２７２（凸部２７２ａ）がヒートシンク２６０の接合部２６６（凹部２６６ａ）に嵌合で固定されている。
【００４０】
（２）図６（Ｂ）に示すように、ヒートシンク２６０は、左右両側部の下部に、接合部２６６が形成されている。接合部２６６の外側に、水平方向に出張った楔状の凸部２６６ｂが形成されている。
【００４１】
エアガイド２７０は、左右両側部に、上側に出張った接合部２７２が形成されている。ヒートシンク２６０の接合部２６６（凸部２６６ｂ）に対応するようにして、接合部２７２の上部の内側に、水平方向に窪んだ楔状の凹部２７２ｂが形成されている。
【００４２】
また、エアガイド２７０は、内側の幅がヒートシンク２６０の外側の幅と同じである。エアガイド２７０の接合部２７２（凹部２７２ｂ）がヒートシンク２６０の接合部２６６（凸部２６６ｂ）に嵌合で固定されている。
【００４３】
（３）図６（Ｃ）に示すように、ヒートシンク２６０は、左右両側部の下部における外側に、水平方向に出張った薄い接合部２６６が形成されている。接合部２６６に、垂直方向に貫通したビス穴２６６ｃが形成されている。
【００４４】
エアガイド２７０は、左右両側部に、接合部２７２が形成されている。ヒートシンク２６０の接合部２６６（ビス穴２６６ｃ）に対応するようにして、接合部２７２に、垂直方向に貫通したビス穴２７２ｃが形成されている。
【００４５】
また、エアガイド２７０は、幅が接合部２６６を含めたヒートシンク２６０の外側の幅と同じであり、ビス穴２７２ｃの径がヒートシンク２６０のビス穴２６６ｃの径とほぼ同じである。接合部２７２（ビス穴２７２ｃ）がヒートシンク２６０の接合部２６６（ビス穴２６６ｃ）にビス止で固定されている。
【００４６】
（４）図６（Ｄ）に示すように、ヒートシンク２６０は、左右両側部の下部に、接合部２６６が形成されている。接合部２６６に、水平方向に貫通したビス穴２６６ｄが形成されている。
【００４７】
エアガイド２７０は、左右両側部に、上側に出張った接合部２７２が形成されている。ヒートシンク２６０の接合部２６６（ビス穴２６６ｄ）に対応するようにして、接合部２７２の上部に、水平方向に貫通したビス穴２７２ｄが形成されている。
【００４８】
また、エアガイド２７０は、内側の幅がヒートシンク２６０の外側の幅と同じであり、ビス穴２７２ｄの径がヒートシンク２６０のビス穴２６６ｄの径と同じである。接合部２７２（ビス穴２７２ｄ）がヒートシンク２６０の接合部２６６（ビス穴２６６ｄ）にビス止で固定されている。
【００４９】
以上、本実施の形態によれば、ベース２６１と複数のフィン２６２とエアガイド２７０とによって、流入口２６４から流出口２６５に向かって空気が流れる通風路が形成されている。流入口２６４から流入した空気が途中で熱交換器室１３０に流出することが抑制され、流入口２６４から流入した空気のほとんどが、フィン間を流れ、流出口２６５まで流通する。これによって、通風量が比較的少なくなる送風ファン１３２の周縁近傍にヒートシンク２６０が配置されていても、ヒートシンク全体を効率的に冷却することができる。
【００５０】
＜変形例＞
なお、図７，図８に示すように、エアガイド２７０は、嵌合やビスなどによってヒートシンク２６０の下部に取り付けられる代わりに、制御基板１５１に取り付けられるとしてもよい。
【００５１】
ここでは、一例として、エアガイド２７０は、複数のフィン２６２の先端を覆っている被覆部２７１と、被覆部２７１と連接し、ヒートシンク２６０を抱え込み、制御基板１５１に固定されている手部２７３とを有する部品である。複数のフィン２６２の先端に被覆部２７１が接するようにして、制御基板１５１に、エアガイド２７０が取り付けられている。これによって、ヒートシンク２６０の内部に、流入口２６４から流出口２６５に向かって空気が流れる通風路が複数形成される。
【００５２】
ここで、エアガイド２７０は、奥行きがヒートシンク２６０の奥行きと同じであり、内側の幅がヒートシンク２６０の外側の幅と同じである。後部が流入口２６４に、前部が流出口２６５に合わされて配置されている。また、ヒートシンク２６０は、電装品箱１５０の筐体に制御基板１５１が設置されている状態でエアガイド２７０の被覆部２７１に接する高さのものが使用されている。
【００５３】
そして、制御基板１５１に形成された穴（不図示）に、エアガイド２７０の手部２７３の先端が差し込まれ、手部２７３の先端に形成された爪２７４が引っ掛けられる。手部２７３でヒートシンク２６０を抱き込むようにして、制御基板１５１にエアガイド２７０が固定されている。
【００５４】
（実施の形態３）
以下、本発明に係わる実施の形態３について説明する。なお、実施の形態２における構成要素と同一の構成要素については、同一の参照符号を付して説明を省略する。
【００５５】
＜室外機＞
まず、本実施の形態における空気調和機の室外機について説明する。
図９，図１０（Ａ）〜図１０（Ｃ）に示すように、室外機３００は、櫛歯状のヒートシンク２６０の下部に、エアガイド３７０が取り付けられている。エアガイド３７０は、複数のフィン２６２の先端を覆う部品であり、より多くの空気をヒートシンク２６０内に流入する整流板としても機能する部品である。
【００５６】
なお、図１０（Ａ）については、電装品箱１５０の中をわかりやすくするために、右上を一部除去した状態で示している。
ここでは、一例として、図１１，図１２（Ａ）〜図１２（Ｄ）に示すように、エアガイド３７０は、複数のフィン２６２の先端を覆っている被覆部２７１と、ヒートシンク２６０の下部に形成された接合部２６６に対応する接合部２７２と、流入口２６４付近から下側に湾曲した湾曲部３７１と、湾曲部３７１から背面に向かって拡張された整流板部３７２とを有する部品である。複数のフィン２６２の先端に被覆部２７１が接触するようにして、ヒートシンク２６０の下部に、エアガイド３７０が取り付けられている。これによって、ヒートシンク２６０内に、流入口２６４から流出口２６５に向かって空気が流れる通風路が複数形成される。
【００５７】
ここで、エアガイド３７０は、左側部がヒートシンク２６０の左側部に、右側部がヒートシンク２６０の右側部に、湾曲部３７１が流入口２６４に、前部が流出口２６５に合わされて配置されている。
【００５８】
なお、図１２（Ａ）に示すように、エアガイド３７０は、エアガイド３７０の接合部２７２（凸部２７２ａ）がヒートシンク２６０の接合部２６６（凹部２６６ａ）に嵌合で固定されることによって、ヒートシンク２６０の下部に取り付けられるとしてもよい。
【００５９】
また、図１２（Ｂ）に示すように、エアガイド３７０は、エアガイド３７０の接合部２７２（凹部２７２ｂ）がヒートシンク２６０の接合部２６６（凸部２６６ｂ）に嵌合で固定されることによって、ヒートシンク２６０の下部に取り付けられるとしてもよい。
【００６０】
また、図１２（Ｃ）に示すように、エアガイド３７０は、エアガイド３７０の接合部２７２（ビス穴２７２ｃ）がヒートシンク２６０の接合部２６６（ビス穴２６６ｃ）にビス止で固定されることによって、ヒートシンク２６０の下部に取り付けられるとしてもよい。
【００６１】
また、図１２（Ｃ）に示すように、エアガイド３７０は、エアガイド３７０の接合部２７２（ビス穴２７２ｄ）がヒートシンク２６０の接合部２６６（ビス穴２６６ｄ）にビス止で固定されることによって、ヒートシンク２６０の下部に取り付けられるとしてもよい。
【００６２】
＜変形例＞
なお、図１３，図１４に示すように、エアガイド３７０は、通風路から遠ざかるにつれて口が大きくなるホーン状の整流板部３７３が形成されているとしてもよい。これによって、流入口２６４側の空気の流れを妨げることなく、流入口２６４側にホーン状の整流板部３７３が配置されているので、流入口２６４から通風路に空気を幅広く案内することができ、通風路に対する空気の流入量を増加させることができる。
【００６３】
例えば、整流板部３７３は、湾曲部３７１に連接された中翼部３７３ａと、中翼部３７３ａの左側部に連接された左翼部３７３ｂと、中翼部３７３ａの右側部に連接された右翼部３７３ｃから構成されるとしてもよい。
【００６４】
ここで、中翼部３７３ａは、正面から見た形状が、上辺および下辺が水平方向に伸びており、左辺が左下から右上に向かって伸びており、右辺が右下から左上に向かって伸びた台形形状である。左翼部３７３ｂは、正面から見た形状が、上辺が水平方向に伸びており、左辺および右辺が垂直方向に伸びており、下辺が左下から右上に向かって伸びた台形形状である。右翼部３７３ｃは、正面から見た形状が、上辺が水平方向に伸びており、左辺および右辺が垂直方向に伸びており、下辺が右下から左上に向かって伸びた台形形状である。
【００６５】
なお、実施の形態１において説明したヒートシンク１６０のカバー１６３についても、エアガイド３７０のように、より多くの空気をヒートシンク１６０内に流入する整流板を有するとしてもよい。具体的には、カバー１６３は、エアガイド３７０のように、複数のフィン１６２の先端を覆っている被覆部と、流入口１６４付近から下側に湾曲した湾曲部と、湾曲部から背面に向かって拡張された整流板部とを有するとしてもよい。さらに、通風路から遠ざかるにつれて口が大きくなるホーン状の整流板部が形成されているとしてもよい。
【００６６】
（実施の形態４）
以下、本発明に係わる実施の形態４について説明する。なお、実施の形態２における構成要素と同一の構成要素については、同一の参照符号を付して説明を省略する。
【００６７】
＜室外機＞
まず、本実施の形態における空気調和機の室外機について説明する。
図１５，図１６（Ａ）〜図１６（Ｃ）に示すように、室外機４００は、複数のフィン２６２の先端に接触するようにして、櫛歯状のヒートシンク２６０の下方に、エアガイド４７０が配置されている。エアガイド４７０は、複数のフィン２６２の先端を覆うようにして、電装品箱１５０の下部（底板）において熱交換器室１３０側に延伸された部分である。
【００６８】
なお、図１６（Ａ）については、電装品箱１５０の中をわかりやすくするために、右上を一部除去した状態で示している。
ここでは、一例として、エアガイド４７０は、複数のフィン２６２の先端を覆っている被覆部４７１を有する部分である。複数のフィン２６２の先端に被覆部４７１が接触するようにして、櫛歯状のヒートシンク２６０の下方に配置されている。これによって、ヒートシンク２６０内に、流入口２６４から流出口２６５に向かって空気が流れる通風路が複数形成される。
【００６９】
ここで、エアガイド４７０は、左側部がヒートシンク２６０の左側部に、後部が流入口２６４に、前部が流出口２６５に合わせて形成されている。また、ヒートシンク２６０は、電装品箱１５０の筐体に制御基板１５１が設置されている状態でエアガイド４７０に接触する高さに合わせて形成されている。
【００７０】
なお、図１７に示すように、エアガイド４７０は、図１８に示す複数のフィン２６２の先端を覆っている被覆部４７１と、流入口２６４付近から背面に向かって真っ直ぐ延伸された整流板部４７２とを有する部分であるとしてもよい。これによって、流入口２６４側の空気の流れを妨げることなく、流入口２６４側に整流板４７２が配置されているので、流入口２６４から通風路に空気を案内することができ、通風路に対する空気の流入量を増加させることができる。
【００７１】
なお、図１９に示すように、エアガイド４７０は、図２０に示す複数のフィン２６２の先端を覆っている被覆部４７１と、流入口２６４付近から下側に湾曲した湾曲部４７３と、湾曲部４７３から背面に向かって垂れて延伸された整流板部４７４とを有する部分であるとしてもよい。これによって、流入口２６４側の空気の流れを妨げることなく、流入口２６４側に整流板４７４が配置されているので、流入口２６４から通風路に空気を幅広く案内することができ、通風路に対する空気の流入量を増加させることができる。
【００７２】
（実施の形態５）
以下、本発明に係わる実施の形態５について説明する。なお、実施の形態２における構成要素と同一の構成要素については、同一の参照符号を付して説明を省略する。
【００７３】
＜室外機＞
まず、本実施の形態における空気調和機の室外機について説明する。
図２１，図２２（Ａ）〜図２２（Ｃ）に示すように、室外機５００は、複数のフィン２６２の先端に接触するようにして、櫛歯状のヒートシンク２６０の下方に、エアガイド５７０が配置されている。エアガイド５７０は、複数のフィン２６２の先端を覆うようにして、仕切り板１２０の上部から室外機５００の左側面に向かって水平方向に延伸された部分である。
【００７４】
なお、図２２（Ａ）については、電装品箱１５０の中をわかりやすくするために、右上を一部除去した状態で示している。
ここでは、一例として、エアガイド５７０は、複数のフィン２６２の先端を覆っている被覆部５７１を有する部分である。複数のフィン２６２の先端に被覆部５７１が接触するようにして、櫛歯状のヒートシンク２６０の下方に配置されている。これによって、ヒートシンク２６０内に、流入口２６４から流出口２６５に向かって空気が流れる通風路が複数形成される。
【００７５】
ここで、エアガイド５７０は、左側部がヒートシンク２６０の左側部に、後部が流入口２６４に、前部が流出口２６５に合わせて形成されている。また、ヒートシンク２６０は、電装品箱１５０の筐体に制御基板１５１が設置されている状態でエアガイド５７０に接触する高さに合わせて形成されている。
【００７６】
なお、図２３に示すように、エアガイド５７０は、図２４に示す複数のフィン２６２の先端を覆っている被覆部５７１と、流入口２６４付近から背面に向かって真っ直ぐ延伸された整流板部５７２とを有する部分であるとしてもよい。これによって、流入口２６４側の空気の流れを妨げることなく、流入口２６４側に整流板５７２が配置されているので、流入口２６４から通風路に空気を案内することができ、通風路に対する空気の流入量を増加させることができる。
【００７７】
なお、図２５に示すように、エアガイド５７０は、図２６に示す複数のフィン２６２の先端を覆っている被覆部５７１と、流入口２６４付近から下側に湾曲した湾曲部５７３と、湾曲部５７３から背面に向かって垂れて延伸された整流板部５７４とを有する部分であるとしてもよい。これによって、流入口２６４側の空気の流れを妨げることなく、流入口２６４側に整流板５７４が配置されているので、流入口２６４から通風路に空気を幅広く案内することができ、通風路に対する空気の流入量を増加させることができる。
【００７８】
（実施の形態６）
以下、本発明に係わる実施の形態６について説明する。なお、実施の形態２における構成要素と同一の構成要素については、同一の参照符号を付して説明を省略する。
【００７９】
＜室外機＞
まず、本実施の形態における空気調和機の室外機について説明する。
図２７，図２８（Ａ）〜図２８（Ｃ）に示すように、室外機６００は、複数のフィン２６２の先端に近接するようにして、櫛歯状のヒートシンク２６０の下方に、エアガイド６７０が配置されている。エアガイド６７０は、複数のフィン２６２の先端を覆うようにして、電装品箱１５０の下部（底板）において熱交換器室１３０側に延伸された部分である。
【００８０】
なお、図２８（Ａ）については、電装品箱１５０の中をわかりやすくするために、右上を一部除去した状態で示している。
ここでは、一例として、エアガイド６７０は、複数のフィン２６２の先端を覆っている被覆部６７１を有する部分である。複数のフィン２６２の先端に被覆部６７１が近接するようにして、櫛歯状のヒートシンク２６０の下方に配置されている。これによって、複数のフィン２６２の先端とエアガイド６７０との間に僅かな間隙ができるが、ヒートシンク２６０内に、流入口２６４から流出口２６５に向かって空気が流れる通風路が複数形成される。
【００８１】
ここで、エアガイド６７０は、左側部がヒートシンク２６０の左側部に、後部が流入口２６４に、前部が流出口２６５に合わせて形成されている。また、ヒートシンク２６０は、電装品箱１５０の筐体に制御基板１５１が設置されている状態でエアガイド６７０に近接する高さに合わせて形成されている。
【００８２】
なお、図２９に示すように、エアガイド６７０は、図３０に示す複数のフィン２６２の先端を覆っている被覆部６７１と、流入口２６４付近から背面に向かって真っ直ぐ延伸された整流板部６７２とを有する部分であるとしてもよい。これによって、流入口２６４側の空気の流れを妨げることなく、流入口２６４側に整流板６７２が配置されているので、流入口２６４から通風路に空気を案内することができ、通風路に対する空気の流入量を増加させることができる。
【００８３】
なお、図３１に示すように、エアガイド６７０は、図３２に示す複数のフィン２６２の先端を覆っている被覆部６７１と、流入口２６４付近から下側に湾曲した湾曲部６７３と、湾曲部６７３から背面に向かって垂れて延伸された整流板部６７４とを有する部分であるとしてもよい。これによって、流入口２６４側の空気の流れを妨げることなく、流入口２６４側に整流板６７４が配置されているので、流入口２６４から通風路に空気を幅広く案内することができ、通風路に対する空気の流入量を増加させることができる。
【００８４】
（実施の形態７）
以下、本発明に係わる実施の形態７について説明する。なお、実施の形態２における構成要素と同一の構成要素については、同一の参照符号を付して説明を省略する。
【００８５】
＜室外機＞
まず、本実施の形態における空気調和機の室外機について説明する。
図３３，図３４（Ａ）〜図３４（Ｃ）に示すように、室外機７００は、複数のフィン２６２の先端に近接するようにして、櫛歯状のヒートシンク２６０の下方に、エアガイド７７０が配置されている。エアガイド７７０は、複数のフィン２６２の先端を覆うようにして、仕切り板１２０の上部から室外機７００の左側壁に向かって水平方向に延伸された部分である。
【００８６】
なお、図３４（Ａ）については、電装品箱１５０の中をわかりやすくするために、右上を一部除去した状態で示している。
ここでは、一例として、エアガイド７７０は、複数のフィン２６２の先端を覆っている被覆部７７１を有する部分である。複数のフィン２６２の先端に被覆部７７１が近接するようにして、櫛歯状のヒートシンク２６０の下方に配置されている。これによって、複数のフィン２６２の先端とエアガイド７７０との間に僅かな間隙ができるが、ヒートシンク２６０内に、流入口２６４から流出口２６５に向かって空気が流れる通風路が複数形成される。
【００８７】
ここで、エアガイド７７０は、左側部がヒートシンク２６０の左側部に、後部が流入口２６４に、前部が流出口２６５に合わせて形成されている。また、ヒートシンク２６０は、電装品箱１５０の筐体に制御基板１５１が設置されている状態でエアガイド７７０に近接する高さに合わせて形成されている。
【００８８】
なお、図３５に示すように、エアガイド７７０は、図３６に示す複数のフィン２６２の先端を覆っている被覆部７７１と、流入口２６４付近から背面に向かって真っ直ぐ延伸された整流板部７７２とを有する部分であるとしてもよい。これによって、流入口２６４側の空気の流れを妨げることなく、流入口２６４側に整流板部７７２が配置されているので、流入口２６４から通風路に空気を案内することができ、通風路に対する空気の流入量を増加させることができる。
【００８９】
なお、図３７に示すように、エアガイド７７０は、図３８に示す複数のフィン２６２の先端を覆っている被覆部７７１と、流入口２６４付近から下側に湾曲した湾曲部７７３と、湾曲部７７３から背面に向かって垂れて延伸された整流板部７７４とを有する部分であるとしてもよい。これによって、流入口２６４側の空気の流れを妨げることなく、流入口２６４側に整流板部７７４が配置されているので、流入口２６４から通風路に空気を幅広く案内することができ、通風路に対する空気の流入量を増加させることができる。
【産業上の利用可能性】
【００９０】
本発明は、空気調和機において外気と熱交換を行う室外機などとして、特に、電装品箱に設置されたパワーデバイス用ヒートシンク全体を効率的に冷却することができる室外機などとして利用することができる。
【図面の簡単な説明】
【００９１】
【図１】実施の形態１における空気調和機の室外機の概要を示す斜視図である。
【図２】実施の形態１における空気調和機の室外機において、（Ａ）は前面パネルを取り外したときの正面図であり、（Ｂ）は切断線Ａ１−Ａ１で切断して矢視方向に見た断面図であり、（Ｃ）は切断線Ｂ１−Ｂ１で切断して矢視方向に見た断面図である。
【図３】実施の形態２における空気調和機の室外機の概要を示す斜視図である。
【図４】実施の形態２における空気調和機の室外機において、（Ａ）は前面パネルを取り外したときの正面図であり、（Ｂ）は切断線Ａ２−Ａ２で切断して矢視方向に見た断面図であり、（Ｃ）は切断線Ｂ２−Ｂ２で切断して矢視方向に見た断面図である。
【図５】実施の形態２における空気調和機の室外機のヒートシンク部分を右側面から見た断面図である。
【図６】実施の形態２における空気調和機の室外機のヒートシンク部分を切断線Ｃ２−Ｃ２で切断して矢視方向に見た断面図であり、（Ａ）〜（Ｄ）は各エアガイドの取り付け例を示す断面図である。
【図７】実施の形態２の変形例における空気調和機の室外機のヒートシンク部分を右側面から見た断面図である。
【図８】実施の形態２の変形例における空気調和機の室外機のヒートシンク部分を切断線Ｄ２−Ｄ２で切断して矢視方向に見た断面図であり、エアガイドの取り付け例を示す断面図である。
【図９】実施の形態３における空気調和機の室外機の概要を示す斜視図である。
【図１０】実施の形態３における空気調和機の室外機において、（Ａ）は前面パネルを取り外したときの正面図であり、（Ｂ）は切断線Ａ３−Ａ３で切断して矢視方向に見た断面図であり、（Ｃ）は切断線Ｂ３−Ｂ３で切断して矢視方向に見た断面図である。
【図１１】実施の形態３における空気調和機の室外機のヒートシンク部分を右側面から見た断面図である。
【図１２】実施の形態３における空気調和機の室外機のヒートシンク部分を切断線Ｃ３−Ｃ３で切断して矢視方向に見た断面図であり、（Ａ）〜（Ｄ）は各エアガイドの取り付け例を示す断面図である。
【図１３】実施の形態３の変形例における空気調和機の室外機のヒートシンク部分を右側面から見た断面図である。
【図１４】実施の形態３の変形例における空気調和機の室外機のヒートシンク部分を切断線Ｄ３−Ｄ３で切断して矢視方向に見た断面図であり、エアガイドの取り付け例を示す断面図である。
【図１５】実施の形態４における空気調和機の室外機の概要を示す斜視図である。
【図１６】実施の形態４における空気調和機の室外機において、（Ａ）は前面パネルを取り外したときの正面図であり、（Ｂ）は切断線Ａ４−Ａ４で切断して矢視方向に見た断面図であり、（Ｃ）は切断線Ｂ４−Ｂ４で切断して矢視方向に見た断面図である。
【図１７】実施の形態４の変形例１における空気調和機の室外機のヒートシンク部分を右側面から見た断面図である。
【図１８】実施の形態４の変形例１における空気調和機の室外機のヒートシンク部分を切断線Ｃ４−Ｃ４で切断して矢視方向に見た断面図である。
【図１９】実施の形態４の変形例２における空気調和機の室外機のヒートシンク部分を右側面から見た断面図である。
【図２０】実施の形態４の変形例２における空気調和機の室外機のヒートシンク部分を切断線Ｄ４−Ｄ４で切断して矢視方向に見た断面図である。
【図２１】実施の形態５における空気調和機の室外機の概要を示す斜視図である。
【図２２】実施の形態５における空気調和機の室外機において、（Ａ）は前面パネルを取り外したときの正面図であり、（Ｂ）は切断線Ａ５−Ａ５で切断して矢視方向に見た断面図であり、（Ｃ）は切断線Ｂ５−Ｂ５で切断して矢視方向に見た断面図である。
【図２３】実施の形態５の変形例１における空気調和機の室外機のヒートシンク部分を右側面から見た断面図である。
【図２４】実施の形態５の変形例１における空気調和機の室外機のヒートシンク部分を切断線Ｃ５−Ｃ５で切断して矢視方向に見た断面図である。
【図２５】実施の形態５の変形例２における空気調和機の室外機のヒートシンク部分を右側面から見た断面図である。
【図２６】実施の形態５の変形例２における空気調和機の室外機のヒートシンク部分を切断線Ｄ５−Ｄ５で切断して矢視方向から見た断面図である。
【図２７】実施の形態６における空気調和機の室外機の概要を示す斜視図である。
【図２８】実施の形態６における空気調和機の室外機において、（Ａ）は前面パネルを取り外したときの正面図であり、（Ｂ）は切断線Ａ６−Ａ６で切断して矢視方向に見た断面図であり、（Ｃ）は切断線Ｂ６−Ｂ６で切断して矢視方向に見た断面図である。
【図２９】実施の形態６の変形例１における空気調和機の室外機のヒートシンク部分を右側面から見た断面図である。
【図３０】実施の形態６の変形例１における空気調和機の室外機のヒートシンク部分を切断線Ｃ６−Ｃ６で切断して矢視方向に見た断面図である。
【図３１】実施の形態６の変形例２における空気調和機の室外機のヒートシンク部分を右側面から見た断面図である。
【図３２】実施の形態６の変形例２における空気調和機の室外機のヒートシンク部分を切断線Ｄ６−Ｄ６で切断して矢視方向に見た断面図である。
【図３３】実施の形態７における空気調和機の室外機の概要を示す斜視図である。
【図３４】実施の形態７における空気調和機の室外機において、（Ａ）は前面パネルを取り外したときの正面図であり、（Ｂ）は切断線Ａ７−Ａ７で切断して矢視方向に見た断面図であり、（Ｃ）は切断線Ｂ７−Ｂ７で切断して矢視方向に見た断面図である。
【図３５】実施の形態７の変形例１における空気調和機の室外機のヒートシンク部分を右側面から見た断面図である。
【図３６】実施の形態７の変形例１における空気調和機の室外機のヒートシンク部分を切断線Ｃ７−Ｃ７で切断して矢視方向から見た断面図である。
【図３７】実施の形態７の変形例２における空気調和機の室外機のヒートシンク部分を右側面から見た断面図である。
【図３８】実施の形態７の変形例２における空気調和機の室外機のヒートシンク部分を切断線Ｄ７−Ｄ７で切断して矢視方向から見た断面図である。
【図３９】従来の技術における空気調和機の室外機の概要を示す斜視図である。
【図４０】従来の技術における空気調和機の室外機において、（Ａ）は前面パネルを取り外したときの正面図であり、（Ｂ）は切断線Ａ０−Ａ０で切断して矢視方向に見た断面図であり、（Ｃ）は切断線Ｂ０−Ｂ０で切断して矢視方向に見た断面図である。
【符号の説明】
【００９２】
１０  室外機
１１  底板
１２  仕切り板
１３  熱交換器室
１４  圧縮機室
１５  電装品箱
１６  ヒートシンク
３１  熱交換器
３２  送風ファン
４１  圧縮機
５１  制御基板
５２  パワーデバイス
６１  ベース
６２  複数のフィン
６３，６４，６５  開口
７１  通風路
７２  出口
７３  側壁
８１  導風体
１００  室外機
１１０  底板
１２０  仕切り板
１３０  熱交換器室
１３１  熱交換器
１３２  送風ファン
１４０  圧縮機室
１４１  圧縮機
１５０  電装品箱
１５１  制御基板
１５２  パワーデバイス
１６１  ベース
１６２  複数のフィン
１６３  カバー
１６４  流入口
１６５  流出口
２００  室外機
２６０  ヒートシンク
２６１  ベース
２６２  複数のフィン
２６４  流入口
２６５  流出口
２６６  接合部
２６６ａ  凹部
２６６ｂ  凸部
２６６ｃ  ビス穴
２６６ｄ  ビス穴
２７０  エアガイド
２７１  被覆部
２７２  接合部
２７２ａ  凸部
２７２ｂ  凹部
２７２ｃ  ビス穴
２７２ｄ  ビス穴
２７３  手部
２７４  爪
３００  室外機
３７０  エアガイド
３７１  湾曲部
３７２  整流板部
３７３  整流板部
３７３ａ  中翼部
３７３ｂ  左翼部
３７３ｃ  右翼部
４００  室外機
４７０  エアガイド
４７１  被覆部
４７２  整流板部
４７３  湾曲部
４７４  整流板部
５００  室外機
５７０  エアガイド
５７１  被覆部
５７２  整流板部
５７３  湾曲部
５７４  整流板部
６００  室外機
６７０  エアガイド
６７１  被覆部
６７２  整流板部
６７３  湾曲部
６７４  整流板部
７００  室外機
７７０  エアガイド
７７１  被覆部
７７２  整流板部
７７３  湾曲部
７７４  整流板部
【図１】
2009299907.tif 000003
【図２】
2009299907.tif 000004
【図３】
2009299907.tif 000005
【図４】
2009299907.tif 000006
【図５】
2009299907.tif 000007
【図６】
2009299907.tif 000008
【図７】
2009299907.tif 000009
【図８】
2009299907.tif 000010
【図９】
2009299907.tif 000011
【図１０】
2009299907.tif 000012
【図１１】
2009299907.tif 000013
【図１２】
2009299907.tif 000014
【図１３】
2009299907.tif 000015
【図１４】
2009299907.tif 000016
【図１５】
2009299907.tif 000017
【図１６】
2009299907.tif 000018
【図１７】
2009299907.tif 000019
【図１８】
2009299907.tif 000020
【図１９】
2009299907.tif 000021
【図２０】
2009299907.tif 000022
【図２１】
2009299907.tif 000023
【図２２】
2009299907.tif 000024
【図２３】
2009299907.tif 000025
【図２４】
2009299907.tif 000026
【図２５】
2009299907.tif 000027
【図２６】
2009299907.tif 000028
【図２７】
2009299907.tif 000029
【図２８】
2009299907.tif 000030
【図２９】
2009299907.tif 000031
【図３０】
2009299907.tif 000032
【図３１】
2009299907.tif 000033
【図３２】
2009299907.tif 000034
【図３３】
2009299907.tif 000035
【図３４】
2009299907.tif 000036
【図３５】
2009299907.tif 000037
【図３６】
2009299907.tif 000038
【図３７】
2009299907.tif 000039
【図３８】
2009299907.tif 000040
【図３９】
2009299907.tif 000041
【図４０】
2009299907.tif 000042